(57)【特許請求の範囲】
【請求項１】
ディスクの信号を検出する信号検出部と、ディスクを排出するディスク排出機構とを備えたディスクドライブ装置において、
前記ディスク排出機構の駆動を制御する機構制御手段と、
前記機構制御手段を制御する認証制御手段と、
を有し、
前記認証制御手段には、認証情報を入力する認証情報入力手段が接続され、
前記認証制御手段は、
時間を測定する時間測定部と、
あらかじめ設定された時間帯を記憶する設定時間記憶部と、
前記時間測定部と前記設定時間記憶部からの情報に基づいて、あらかじめ設定された時間帯内か否かを判定する時間判定部と、
所定の認証情報を記憶する認証情報記憶部と、
前記認証情報入力手段から入力された認証情報と前記認証情報記憶部に記憶された認証情報とが一致するか否かを判定する判定部と、
前記時間判定部によって、あらかじめ設定された時間帯内と判定された場合に、当該時間帯内の時間中においては、ディスク排出指示が入力され、且つ前記判定部によって認証情報が一致すると判定されたときにのみ、前記機構制御手段にディスク排出指示を出力するディスク排出指示部と、
を有することを特徴とするディスクドライブ装置。
【請求項２】
ディスクの信号を検出する信号検出部と、ディスクを排出するディスク排出機構とを備えたディスクドライブ装置において、
前記ディスク排出機構の駆動を制御する機構制御手段と、
前記機構制御手段を制御する認証制御手段と、
を有し、
前記認証制御手段には、認証情報を入力する認証情報入力手段が接続され、
前記認証制御手段は、
時間を測定する時間測定部と、
あらかじめ設定された時間帯を記憶する設定時間記憶部と、
前記時間測定部と前記設定時間記憶部からの情報に基づいて、あらかじめ設定された時間帯外か否かを判定する時間判定部と、
所定の認証情報を記憶する認証情報記憶部と、
前記認証情報入力手段から入力された認証情報と前記認証情報記憶部に記憶された認証情報とが一致するか否かを判定する判定部と、
前記時間判定部によって、あらかじめ設定された時間帯外と判定された場合に、当該時間帯外の時間中においては、ディスク排出指示が入力され、且つ前記判定部によって認証情報が一致すると判定されたときにのみ、前記機構制御手段にディスク排出指示を出力するディスク排出指示部と、
を有することを特徴とするディスクドライブ装置。
【請求項３】
前記認証情報は、前記信号検出部によりディスクから読み込まれ、前記認証情報記憶部に記憶されるディスク固有の情報であることを特徴とする請求項１又は請求項２記載のディスクドライブ装置。
【請求項４】
前記信号検出部によりディスクから読み込まれた複数のディスク固有の情報を表示する表示装置と、
前記表示装置に表示された複数のディスク固有の情報から、前記認証情報を選択する入力部と、
を有することを特徴とする請求項１又は請求項２記載のディスクドライブ装置。
【請求項５】
前記認証情報は、パスワードであることを特徴とする請求項１又は請求項２記載のディスクドライブ装置。
【請求項６】
前記認証情報入力手段は、複数のボタンによって操作される複数のスイッチを有し、前記認証情報は、前記複数のボタン操作に応じたスイッチ切り換えの順序及び回数の組み合わせに関する情報であることを特徴とする請求項１又は請求項２記載のディスクドライブ装置。
【請求項７】
前記認証情報入力手段は音声認識部を有し、前記認証情報は、話者限定音声情報であることを特徴とする請求項１又は請求項２記載のディスクドライブ装置。
【請求項８】
前記認証情報入力手段は指紋認識部を有し、前記認証情報は、指紋情報であることを特徴とする請求項１又は請求項２記載のディスクドライブ装置。
【請求項９】
前記認証情報入力手段は網膜パターン検出部を有し、前記認証情報は、網膜パターン情報であることを特徴とする請求項１又は請求項２記載のディスクドライブ装置。
【請求項１０】
前記判定部における判定に用いられる認証情報は、複数種類の認証情報における少なくとも２種であり、若しくは複数種類の認証情報における少なくとも２種のうちのいずれか１種であることを特徴とする請求項３〜９のいずれか１項に記載のディスクドライブ装置。
【発明の詳細な説明】
【０００１】
【発明の属する技術分野】
本発明は、ディスクに記録された情報を検出するためのディスクドライブ装置に係り、特に、ディスクの排出機構の制御に改良を施したディスクドライブ装置に関する。
【０００２】
【従来の技術】
一般に、パーソナルコンピュータには、ＣＤ−ＲＯＭ、ＤＶＤ−ＲＯＭ、ＭＯディスクなどのリムーバブルメディア用のディスクドライブ装置が設けられている。このディスクドライブ装置は、例えば、図１０に示すように、パーソナルコンピュータの本体Ｃから出し入れされるトレイＴに、ディスクＤを載置することによってディスクＤの導入排出を行うトレイ式のものが多い。
【０００３】
かかるトレイ式のディスクドライブ装置におけるディスクＤの排出は、トレイＴに設けられたイジェクトボタンＥを操作して、トレイＴを駆動する機構を作動させ、トレイＴを本体Ｃから突出させることによって行われていた。また、パーソナルコンピュータのＯＳ（オペレーティングシステム）上でディスク排出指示を入力すれば、トレイＴを駆動してディスクＤを排出させることができた。
【０００４】
【発明が解決しようとする課題】
ところで、上述のようなディスクドライブ装置においては、イジェクトボタン操作やディスク排出指示入力を行うことによって、誰でも容易にディスクを取り出すことができた。このため、例えば、パーソナルコンピュータの正当な使用者以外の者も、容易にディスクを取り出すことができ、ディスクが盗難される可能性が高かった。
【０００５】
本発明は、上記のような従来技術の問題点を解決するために提案されたものであり、その目的は、正当な使用者以外の者によるディスクの取り出しを確実に防止することができるディスクドライブ装置を提供することにある。
【０００６】
【課題を解決するための手段】
上記の目的を達成するため、請求項１記載の発明は、ディスクの信号を検出する信号検出部と、ディスクを排出するディスク排出機構とを備えたディスクドライブ装置において、前記ディスク排出機構の駆動を制御する機構制御手段と、前記機構制御手段を制御する認証制御手段と、を有し、前記認証制御手段には、認証情報を入力する認証情報入力手段が接続され、前記認証制御手段は、時間を測定する時間測定部と、あらかじめ設定された時間帯を記憶する設定時間記憶部と、前記時間測定部と前記設定時間記憶部からの情報に基づいて、あらかじめ設定された時間帯内か否かを判定する時間判定部と、所定の認証情報を記憶する認証情報記憶部と、前記認証情報入力手段から入力された認証情報と前記認証情報記憶部に記憶された認証情報とが一致するか否かを判定する判定部と、前記時間判定部によって、あらかじめ設定された時間帯内と判定された場合に、当該時間帯内の時間中においては、ディスク排出指示が入力され、且つ前記判定部によって認証情報が一致すると判定されたときにのみ、前記機構制御手段にディスク排出指示を出力するディスク排出指示部と、を有することを特徴とする。
【０００７】
請求項２記載の発明は、ディスクの信号を検出する信号検出部と、ディスクを排出するディスク排出機構とを備えたディスクドライブ装置において、前記ディスク排出機構の駆動を制御する機構制御手段と、前記機構制御手段を制御する認証制御手段と、を有し、前記認証制御手段には、認証情報を入力する認証情報入力手段が接続され、前記認証制御手段は、時間を測定する時間測定部と、あらかじめ設定された時間帯を記憶する設定時間記憶部と、前記時間測定部と前記設定時間記憶部からの情報に基づいて、あらかじめ設定された時間帯外か否かを判定する時間判定部と、所定の認証情報を記憶する認証情報記憶部と、前記認証情報入力手段から入力された認証情報と前記認証情報記憶部に記憶された認証情報とが一致するか否かを判定する判定部と、前記時間判定部によって、あらかじめ設定された時間帯外と判定された場合に、当該時間帯外の時間中においては、ディスク排出指示が入力され、且つ前記判定部によって認証情報が一致すると判定されたときにのみ、前記機構制御手段にディスク排出指示を出力するディスク排出指示部と、を有することを特徴とする。
【０００８】
以上のような請求項１及び２記載の発明では、正当な使用者が、あらかじめ設定された時間帯内若しくはその時間帯外には、ディスク排出指示及び認証情報を入力しなければ、認証制御手段から機構制御手段にディスク排出指示が出力されないので、機構制御手段によるディスクの排出がされない。従って、例えば、正当な使用者が使用しないような時間帯において、正当な使用者以外の者によるディスクの持ち出しを確実に防止することができる。
また、時間と認証情報の２つの手段によって、ディスクの排出を管理することができるので、盗難され易い時間に合わせて、盗難防止を図ることができる。従って、正当な使用者は、盗難防止を図る必要のない時間には、認証情報を入力しなくともディスクを取り出すことができ、利便性が向上する。
【０００９】
請求項３記載の発明は、請求項１又は請求項２記載のディスクドライブ装置において、前記認証情報は、前記信号検出部によりディスクから読み込まれ、前記認証情報記憶部に記憶されるディスク固有の情報であることを特徴とする。
請求項４記載の発明は、請求項１又は請求項２記載のディスクドライブ装置において、前記信号検出部によりディスクから読み込まれた複数のディスク固有の情報を表示する表示装置と、前記表示装置に表示された複数のディスク固有の情報から、前記認証情報を選択する入力部と、を有することを特徴とする。
以上のような請求項３及び４記載の発明では、例えば、ディスクの内部に記録されるファイル名、ホルダー名、ＴＯＣ（目次）情報、演奏時間、タイトル名等のディスク固有の情報を認証情報とするので、正当使用者が認証情報を記憶しやすい。
【００１０】
請求項５記載の発明は、請求項１又は請求項２記載のディスクドライブ装置において、前記認証情報は、パスワードであることを特徴とする。以上のような請求項５記載の発明では、正当な使用者にとって管理が容易なパスワードによって、盗難防止を図ることができる。
【００１１】
請求項６記載の発明は、請求項１又は請求項２記載のディスクドライブ装置において、前記認証情報入力手段は、複数のボタンによって操作される複数のスイッチを有し、前記認証情報は、前記複数のボタン操作に応じたスイッチ切り換えの順序及び回数の組み合わせに関する情報であることを特徴とする。以上のような請求項６記載の発明では、ボタン操作の組み合わせによって、認証情報の入力を容易に行うことができる。
【００１２】
請求項７記載の発明は、請求項１又は請求項２記載のディスクドライブ装置において、前記認証情報入力手段は音声認識部を有し、前記認証情報は話者限定音声情報であることを特徴とする。
以上のような請求項７記載の発明では、音声によって正当な使用者か否かを認証するので、本人の確認をより正確に行うことができる。
【００１３】
請求項８記載の発明は、請求項１又は請求項２記載のディスクドライブ装置において、前記認証情報入力手段は指紋認識部を有し、前記認証情報は、指紋情報であることを特徴とする。
以上のような請求項８記載の発明では、指紋によって正当な使用者か否かを認証することができるので、本人の確認をより正確に行うことができる。
【００１４】
請求項９記載の発明は、請求項１又は請求項２記載のディスクドライブ装置において、前記認証情報入力手段は網膜パターン検出部を有し、前記認証情報は、網膜パターン情報であることを特徴とする。
以上のような請求項９記載の発明では、網膜パターンによって正当な使用者か否かを認証することができるので、本人の確認をより正確に行うことができる。
【００１５】
請求項１０記載の発明は、請求項１〜９のいずれか１項に記載のディスクドライブ装置において、前記判定部における判定に用いられる認証情報は、複数種類の認証情報における少なくとも２種であり、若しくは複数種類の認証情報における少なくとも２種のうちのいずれか１種であることを特徴とする。以上のような請求項１０記載の発明では、複数種類の認証情報の組み合わせによって正当な使用者を認証することができるので、正当な使用者以外の者によるディスクの持ち出しを、より確実に防止できる。
【００１６】
【発明の実施の形態】
［１．実施の形態の構成］
本発明の実施の形態を、図１〜９を参照して以下に説明する。なお、本実施の形態における認証制御部、機構制御部のうち情報処理に関する部分は、典型的には、ソフトウェアで制御されるＣＰＵ（コンピュータ本体のものであっても、ディスクドライブ装置専用のものであっても、外部処理装置のものであってもよい）及びその周辺回路において実現される。この場合のソフトウェアは、ハードウェアを物理的に活用することで本発明の作用効果を実現するものであるが、ソフトウェアやハードウェアの種類や構成、ソフトウェアで処理する範囲などは各種変更可能であるため、以下の説明では、本発明及び本実施の形態の各機能を実現する仮想的回路ブロックを用いる。また、本発明は、これをコンピュータによって実現するためのソフトウェアを記録した記録媒体として把握することもできる。
【００１７】
すなわち、本実施の形態は、図１に示すように、コンピュータ本体Ｃ内に構成された駆動機構部１０、機構制御部２０及び認証制御部３０、コンピュータに接続されたキーボード、マウス等の入力部４０及びＣＲＴやＬＣＤ等の表示装置５０によって構成されている。駆動機構部１０は、図２に示すように、筐体１０ａ内に配設されたディスクローディング機構１１、光学ピックアップ送り機構１２、ターンテーブル１３、図示しないクランプ機構等によって構成されている。筐体１０ａには、図３に示すように、ディスクＤの挿入口１０ｂが形成されている。そして、図３及び図４に示すように、筐体１０ａは、引出し不可能なようにコンピュータ本体Ｃ内に収容され、挿入口１０ｂのみが露出している。
【００１８】
ディスクローディング機構１１は、ギヤ機構を介してローディングモータ１１ａによって回転するローディングローラ１１ｂと、このローディングローラ１１ｂとの間でディスクＤを挟持するディスクガイド（図示せず）によって構成されている。そして、ローディングローラ１１ｂは、図示しないローラ接離機構によってディスクＤに接離する方向に移動可能に設けられている。なお、筐体１０ａ内の挿入口１０ｂ近傍には、ディスクＤの挿入・排出を検出するセンサ１１ｃが配設されている。
【００１９】
光学ピックアップ送り機構１２は、ディスク信号検出用の光学ピックアップ１２ａを、表面にネジが切られたリードスクリュー１２ｂと、これと平行に配設されたガイドシャフト１２ｃとの間にスライド移動可能に配設したものである。リードスクリュー１２ｂは、ギヤ機構を介して送り出しモータ１２ｄによって回転可能に設けられ、その回転によって光学ピックアップ１２ａをディスクＤの径方向にスライド移動させることができる。なお、光学ピックアップ１２ａには、トラッキングやフォーカシングを行うためのアクチュエータが構成されている。
【００２０】
ターンテーブル１３は、信号検出時のディスクＤが載置される部材であり、スピンドルモータ１３ａによって回転可能に設けられている。なお、クランプ機構は、図示しないクランパーとターンテーブル１３との間でディスクＤの内径を挟持するための機構である。
【００２１】
機構制御部２０は、駆動機構部１０におけるローディングモータ１１ａ、送り出しモータ１２ｄ、スピンドルモータ１３ａ、光学ピックアップのアクチュエータ、ローラ接離機構のモータ等の各種駆動源（図１のＳ）を制御する作動制御部２１と、光学ピックアップ１２ａによって検出された信号を処理する信号処理部２２と、駆動機構部１０及び認証制御部３０との間のインターフェイス（Ｉ／Ｆ）２３，２４とを有している。
【００２２】
認証制御部３０は、あらかじめ登録される認証情報を管理する登録管理部３１と、認証情報を記憶するメモリ部３２と、メモリ部３２に記憶された認証情報と入力された認証情報とを照合して一致するか否かを判定する判定部３３と、入力部４０からディスク排出指示が入力されるとともに、判定部３３において認証情報が一致すると判定された場合に、機構制御部２０にディスク排出指示を出力するイジェクト指示部３４と、機構制御部２０、入力部４０及び表示装置５０との間のインターフェイス（Ｉ／Ｆ）３５とを有している。
【００２３】
さらに、認証制御部３０は、あらかじめ設定される時間長若しくは時間帯をメモリ部３２に格納する時間設定部３６と、時間を測定するタイマ３７と、メモリ部３２に格納された時間長若しくは時間帯及びタイマ３７によって測定される時間に基づいて、設定された時間長が経過したか又は設定された時間帯内か若しくは設定された時間外かを判定する時間判定部３８とを有している。なお、図１では、コンピュータ本体Ｃに備えられるべき、各種演算装置、記憶装置等の図示は省略されている。
【００２４】
［２．実施の形態の作用］
［２−１．ディスクの挿入］
以上のような本実施の形態の作用を説明する。すなわち、正当使用者であるユーザは、挿入口１０ｂからディスクＤを挿入すると、センサ１１ｃによってディスク挿入が検出される。すると、作動制御部２１の指示によってローディングモータ１１ａが作動するので、ローディングローラ１１ｂがディスク導入方向への回転を開始する。これにより、ディスクＤはローディングローラ１１ｂとディスクガイドとの間に挟持されながらターンテーブル１３側へ引き込まれる。そして、ターンテーブル１３上にディスクＤの内径が合ったときにローディングローラ１１ｂが下降し、その後、クランプ機構によって、クランパーとターンテーブル１３との間でディスクＤが挟持される。
【００２５】
このようにディスクＤがターンテーブル１３上にセットされると同時に、ローディングローラ１１ｂは、そのローラ接離機構によってディスクＤから離れる方向に移動して、ディスクＤを解放する。そして、スピンドルモータ１３ａの作動によってターンテーブル１３上のディスクＤを回転させながら、送り出しモータ１２ｄ及びアクチュエータの作動によって光学ピックアップをディスクＤの径方向に移動させて、ディスクＤに記録された信号を検出する。検出された信号は信号処理部２２によって処理され、コンピュータのＣＰＵに出力される。
【００２６】
［２−２．時間長による盗難防止］
以上のように駆動機構部１０内に収容されたディスクＤは、以下に示すような手順によって、正当な使用者以外の者による取り出しが防止される。この手順を、図５〜９のフローチャートに従って以下に説明する。なお、本実施の形態においては、時間長、時間帯及びパスワードの入力に際して、表示装置５０にダイアログボックス等の入力用画面表示がなされるように設定されている。
【００２７】
まず、入力部４０からの入力操作がない状態で、あらかじめ設定した時間が経過した場合に、ディスクの排出を制限する場合の手順について、図５〜７のフローチャートに従って説明する。すなわち、ディスクの盗難防止を設定したい正当使用者は、入力用画面に従って入力部４０から指定時間長（例えば、「２０分」）を入力する（ステップ５０１）。すると、この指定時間長が認証制御部３０における時間設定部３６によってメモリ部３２に記憶される（ステップ５０２）。次に、正当使用者は、入力用画面に従って入力部４０から任意のパスワードを入力する（ステップ５０３）。すると、このパスワードが認証制御部３０における登録管理部３１によって、正当使用者のパスワードとしてメモリ部３２に記憶され（ステップ５０４）、事前の設定処理が終了する。
【００２８】
以上のような設定がなされ、電源オフ状態若しくはネットワークのログオフ状態となっているコンピュータを使用しようと思った正当使用者が、コンピュータの起動若しくはネットワークのログインを行うと、その際に、使用者確認処理が行われる。この確認処理は、図７のフローチャートに示すように、認証情報を入力し、これがあらかじめ登録された認証情報と一致するか否かを確認することによって行う（ステップ７０１）。そして、確認できた場合（一致した場合）には（ステップ７０２）、当人ＦＬＡＧをオンとし（ステップ７０３）、確認ができない場合（一致しない場合）には、当人ＦＬＡＧをオフとし（ステップ７０４）、コンピュータの使用者が正当使用者であるか否かを記憶させる。この記憶はＦＬＡＧに限らずメモリーやレジスターなどの他の手段であってもよい。
【００２９】
そして、コンピュータの起動若しくはネットワークのログイン後に、この起動若しくはログインさせた者が正当使用者であるか否かの判断は、当人ＦＬＡＧで行なう。排出動作の手順を、図６のフローチャートに示す。まず、使用者確認処理（ステップ６０１）を行なう。すなわち、当人ＦＬＡＧがオフで使用者確認ができなかった場合には（ステップ６０２）、そのまま処理が終了する。また、当人ＦＬＡＧがオンで使用者確認ができた場合には（ステップ６０２）、以降の処理に移行できる。このように使用者確認を行ない、コンピュータの使用を開始した正当使用者が、例えば、コンピュータから離れて２０分経過した後に再びコンピュータに向かい、ディスクＤを取り出したいと思った場合には、入力部４０からディスク排出指示を入力する（ステップ６０３）。すると、時間判定部３８は、タイマ３７によって計測された時間とメモリ部３２に記憶された時間長とに基づいて、入力部４０から何の操作入力もない状態で、指定時間（ここでは２０分）が経過したことを判定する（ステップ６０４）。
【００３０】
次に、表示装置５０に、パスワードの入力用画面が表示されるので、上記のように登録したパスワードを、入力部４０から入力する（ステップ６０５）。すると、判定部３３においては、入力されたパスワードとメモリ部３２に記憶された正当使用者のパスワードとが照合され、一致するか否かが判定される（ステップ６０６）。そして、一致すると判定された場合には、イジェクト指示部３４が、機構制御部２０の作動制御部２１にディスク排出指示を出力する（ステップ６０７）。
【００３１】
このようにイジェクト指示部３４からのディスク排出指示が入力された作動制御部２１は、クランプ機構からディスクを解放させ、ローディングモータ１１ａに対して作動指示を出力するとともに、ローラ接離機構に対して、ローディングローラ１１ｂをディスクＤに接する方向へ移動させる指示を出力するので（ステップ６０８）、ディスクＤは、ディスク排出方向に回転するローディングローラ１１ｂとディスクガイドとの間に挟持されながら、挿入口１０ｂから排出される（ステップ６０９）。なお、ディスクＤの排出完了が、センサ１１ｃによって検出されると、作動制御部２１はローディングモータ１１ａを停止させる。
【００３２】
一方、指定時間経過後であっても、例えば、正当使用者がコンピュータに戻った来ないうちに、正当使用者でない者からディスク排出指示が入力された場合には（ステップ６０３）、上記のように時間判定部３８によって、入力操作なしに指定時間が経過したことが判定される（ステップ６０４）。そして、表示装置５０に表示されたパスワードの入力用画面に対して、あらかじめ登録されたものでないパスワードが入力されると（ステップ６０５）、判定部３３によってパスワードが一致しないと判定されるので（ステップ６０６）、ディスクＤの排出指示が出力されず、ローディングローラ１１ｂは作動しないので、ディスクＤを取り出すことはできず、処理が終了する。
【００３３】
さらに、入力部４０からの入力操作がない状態で、あらかじめ設定した時間が経過していない場合に、ディスク排出指示入力があったときには（ステップ６０３）、時間判定部３８によって指定時間長が経過していないと判定され（ステップ６０４）、ステップ６０７以降の処理に移行するので、ディスクＤを取り出すことができる。
【００３４】
なお、図７に示した使用者確認処理は、コンピュータの起動時、ネットワークのログイン時等に実行される。図５に示した事前設定の処理については、認証情報の登録時又は変更時に実施される。認証情報の登録時又は変更時にも、事前に使用者確認処理が行われる。また、パスワードの選択は任意であるが、使用者にとって分かり易いものが望ましい。さらに、図６に示したディスク排出処理は、例えば、パーソナルコンピュータの場合、ドライバーソフトやＯＳの一部に組み込まれて動作することが考えられ、この処理は短時間中に随時繰り返し実行される。
【００３５】
［２−３．時間帯による盗難防止］
次に、あらかじめ指定された時間帯に、ディスクの排出を制限する場合の手順について、図８及び図９のフローチャートに従って説明する。なお、上記の図５〜７で示した手順と同様の手順については、説明を簡略化する。すなわち、ディスクの盗難防止を設定したい正当使用者は、入力用画面に従って入力部４０から指定時間帯（例えば、午前６時〜午後６時）を入力する（ステップ８０１）。すると、この指定時間帯が認証制御部３０における時間設定部３６によってメモリ部３２に記憶される（ステップ８０２）。次に、正当使用者は、上記と同様のパスワードの設定手続を行う（ステップ８０３，８０４）。
【００３６】
以上のような設定をした後に、指定時間帯（例えば、午前６時〜午後６時）内において、正当使用者がディスクＤを取り出したいと思った場合には、入力部４０からディスク排出指示を入力する（ステップ９０１）。すると、時間判定部３８は、タイマ３７によって計測された時間とメモリ部３２に記憶された時間帯とに基づいて、指定時間帯（ここでは午前６時〜午後６時）内であることを判定する（ステップ９０２）。
【００３７】
次に、表示装置５０に、パスワードの入力用画面が表示されるので、登録したパスワードを入力部４０から入力すると（ステップ９０３）、上記のようにパスワードが一致すると判定され（ステップ９０４）、作動制御部２１にディスク排出指示が出力される（ステップ９０５）ので、ディスクＤが排出される（ステップ９０６，９０７）。
【００３８】
一方、指定時間帯内に、正当使用者でない者からディスク排出指示が入力された場合には（ステップ９０１）、上記のように時間判定部３８によって、指定時帯内であることが判定される（ステップ９０２）。そして、表示装置５０に表示されたパスワードの入力用画面に対して、あらかじめ登録されたものでないパスワードが入力されると（ステップ９０３）、判定部３３によってパスワードが一致しないと判定されるので（ステップ９０４）、ディスクＤの排出指示が出力されず、ディスクＤを取り出すことはできない。
【００３９】
なお、指定時間帯外に、ディスク排出指示入力があった場合には（ステップ９０１）、時間判定部３８によって、指定時間帯外であると判定されるので（ステップ９０２）、ステップ９０５以降の処理に移行して、正当使用者であってもそれ以外の者であってもディスクを取り出すことができる。なお、上記の時間長による盗難防止で示したと同様に、使用者確認処理を行うステップを含ませることも可能である。
【００４０】
［３．実施の形態の効果］
以上のような本実施の形態の効果は以下の通りである。すなわち、入力部４０からの入力がない状態で設定された時間が経過した場合や設定された時間帯内においては、あらかじめ登録されたパスワードを入力しなければ、ディスクＤが排出されないので、正当使用者以外の者はディスクＤを取り出すことができない。
【００４１】
従って、正当使用者がコンピュータから離れた時や、コンピュータを使用しない時間帯に合わせて、正当使用者によるディスクＤの持ち出しを効果的に防止できる。また、正当使用者が入力部４４によってコンピュータを使用中の場合やコンピュータを使用している時間帯には、通常の通りにディスクＤを取り出すことができるので、正当使用者の利便性が低下することはない。
【００４２】
さらに、駆動機構部１０はトレイ式ではなく、ローディングローラ１１ｂによってディスクＤを搬送する方式なので、ディスクＤのみを強引に引出せるような構造となっておらず、しかも、駆動機構部１０の筐体１０ａ自体はコンピュータ本体Ｃに引出しできないように収容されているので、正当使用者以外の者による強引なディスクＤの取り出しを確実に防止することができる。
【００４３】
［４．他の実施の形態］
本発明は、上記の実施の形態に限定されるものではない。まず、上記の実施の形態では、ユーザが任意のパスワードを入力して登録し、その後、排出を希望するときに、そのパスワードを入力して認証を得るものとして説明したが、ディスク固有の情報（例えば、内部に記録されるファイル名、ホルダー名、ＴＯＣ（目次）情報、演奏時間（特定の曲のものでも全体の総演奏時間でもよい）、ディスクのタイトル名等）を入力して認証を得るようにしてもよい。この場合は、ユーザによるパスワードの登録処理を不要とすることもできる。
【００４４】
かかる場合には、デフォルトで上記のディスク固有情報がディスクから自動的に読み込まれてメモリ部に記憶・登録され、ユーザが入力したディスク固有情報との一致若しくは不一致が判定部によって判定されるように構成することも可能である。また、ディスク挿入時に画面表示される複数の固有情報の中から、ユーザが選択した固有情報が、メモリ部に記憶・登録されて認証に用いられるように構成することも可能である。このようにディスク固有情報を用いることによって、ユーザは、パスワードよりも認証情報を覚えやすくなるとともに、認証情報の登録も容易となる。
【００４５】
また、上記の実施の形態においては、指定時間帯内にある場合に、ディスクの排出を制限する設定としたが、指定時間外の場合に、ディスクの排出を制限する設定とすることも可能である。また、指定時間長及び時間帯は、上記の実施の形態で例示したものには限定されず、自由に設定可能である。
【００４６】
また、認証情報を入力する入力手段としては、キーボードやマウスには限定されない。例えば、ディスクを記録媒体として用いるゲーム装置や音響・映像装置等に本発明を適用し、ゲームパッドのボタン、ジョイスティック、エスカッションの操作ボタン、リモコン等の入力手段から、認証情報を入力する構成とすることも可能である。
【００４７】
かかる場合には、画面表示された表から文字、数字、記号等を選択してパスワードを入力することもできるが、例えば、複数のボタンを押圧する順序や回数の組み合わせを認証情報として設定することも可能である。このような設定にすると、ボタン操作によって認証情報の設定、入力を容易に行うことができる。
【００４８】
また、パスワードはいわゆる暗証番号のみならず、文字、記号、数字のいずれか若しくはこれらの組み合わせでもよい。但し、認証情報の種類はパスワードには限定されない。例えば、認証制御手段に接続される入力手段として、音声、指紋若しくは網膜パターンを検出し、照合に適した信号に変換する認識装置を設け、これらの認識装置からの信号に基づいて、正当使用者を判定する構成とすることも可能である。
【００４９】
より具体的には、上記の実施の形態におけるＩ／Ｆ３５に音声認識装置を接続した場合には、いわゆる特定話者（話者限定）方式の認証を行うことができる。まず、音声認識装置から正当使用者の音声を入力すると、音声信号が登録管理部３１によってメモリ部３２に格納される。次に、ディスク排出指示を入力した正当使用者から、音声認識装置を介した音声信号の入力があると、判定部３３によって、入力された音声信号とメモリ部３２に格納された正当使用者の音声信号とが照合され、一致する場合にはイジェクト指示部３４からディスク排出指示が出力される。一致しない場合には、ディスク排出指示は出力されない。指紋認識装置や網膜パターン認識装置を接続した場合も同様である。なお、音声の場合には、使用可能な語句を、任意の語句やあらかじめ設定された語句に限定することによって、認識の精度を高めることも可能である。
【００５０】
さらに、上記のような各種の認証情報を組み合わせて用いることも可能である。例えば、パスワードと音声信号とをメモリ部に記憶しておき、このパスワード及び音声の双方が、キーボードから入力されたパスワード及び音声認識装置からの音声信号と一致した場合に、ディスク排出処理がなされる構成としてもよい。また、登録したパスワード及び音声のいずれか一方が、入力された認証情報と一致した場合に、ディスク排出処理がなされる構成としてもよい。かかる組み合わせは、パスワード、ボタン操作、音声、指紋、網膜パターンうちのいずれでもよく、その他の種類の認証情報であってもよい。
【００５１】
また、駆動機構部１０の筐体１０ａは、コンピュータ本体Ｃと一体に形成することによって、さらに盗難防止効果を高めることができる。また、挿入口１０ｂの位置は、コンピュータ本体Ｃにおけるどのような位置であってもよい。
【００５２】
また、ローディングローラを用いたディスクローディング機構は、上記の実施の形態に限定されるものではない。例えば、実公平５−１００３号公報や特公平６−１０３５６８号公報に示すもの等、周知のあらゆる技術が適用可能である。また、ディスクの挿入・排出等を検知するセンサの種類、位置及び数は、自由に設計可能であり、特公平６−１０３５６８号公報に示す技術のように、複数のセンサを用いることによって、ディスク径の判別や異物の挿入防止を図る構成としてもよい。さらに、ローディングローラを用いないディスク排出機構を使用してもよい。
【００５３】
また、クランプ機構は、ターンテーブル側が上昇することによって、駆動機構部の天井に配設されたクランパーにディスクが圧着される構成としてもよい。クランプ機構によるディスクの解放及び圧着とローラ接離機構によるローディングローラのディスクの圧着及び解放を連動させるリンク機構を設けた構成としてもよい。
【００５４】
さらに、本発明が適用されるディスクドライブ装置は、デスクトップやノート型のパーソナルコンピュータ用のものには限定されない。例えば、上記のようにゲーム機の記録媒体用のドライブ装置や音響・映像機器の記録媒体用のドライブ装置としても用いることもできる。従って、表示装置も、テレビジョン受像機、ＬＥＤによる表示機等であってもよい。また、記録媒体は、記録再生用のものであっても、再生専用（信号読み取り専用）のものであってもよく、どのような形状、種類、大きさであってもよい。
【００５５】
【発明の効果】
以上説明したように本発明によれば、正当な使用者以外の者によるディスクの取り出しを確実に防止可能なディスクドライブ装置を提供することができる。
【図面の簡単な説明】
【図１】本発明のディスクドライブ装置の一つの実施の形態を示す機能ブロック図である。
【図２】図１の実施の形態における駆動機構部を示す平面図である。
【図３】図１の実施の形態における駆動機構部を示す正面図である。
【図４】図１の実施の形態を組み込んだコンピュータ本体のディスク挿入口を示す斜視図である。
【図５】図１の実施の形態における時間長登録処理の手順を示すフローチャートである。
【図６】図１の実施の形態における時間長指定のディスク盗難防止処理の手順を示すフローチャートである。
【図７】図１の実施の形態における使用者確認処理の手順を示すフローチャートである。
【図８】図１の実施の形態における時間帯登録処理の手順を示すフローチャートである。
【図９】図１の実施の形態における時間帯指定のディスク盗難防止処理の手順を示すフローチャートである。
【図１０】トレイ式のディスクドライブ装置を組み込んだパーソナルコンピュータの一例を示す斜視図である。
【符号の説明】
１０…駆動機構部
１０ａ…筐体
１０ｂ…挿入口
１１…ディスクローディング機構
１１ａ…ローディングモータ
１１ｂ…ローディングローラ
１１ｃ…センサ
１２…光学ピックアップ送り機構
１２ａ…光学ピックアップ
１２ｂ…リードスクリュー
１２ｃ…ガイドシャフト
１２ｄ…送り出しモータ
１３…ターンテーブル
１３ａ…スピンドルモータ
２０…機構制御部
２１…作動制御部
２２…信号処理部
２３，２４，３５…インターフェース（Ｉ／Ｆ）
３０…認証制御部
３１…登録管理部
３２…メモリ部
３３…判定部
３４…イジェクト指示部
３６…時間設定部
３７…タイマ
３８…時間判定部
４０…入力部
５０…表示装置
５０１以降…手順の各ステップ
Ｃ…コンピュータ本体
Ｄ…ディスク
Ｓ…駆動源
Ｔ…トレイ
【図１】
0004739488.tif 000002
【図２】
0004739488.tif 000003
【図３】
0004739488.tif 000004
【図４】
0004739488.tif 000005
【図５】
0004739488.tif 000006
【図６】
0004739488.tif 000007
【図７】
0004739488.tif 000008
【図８】
0004739488.tif 000009
【図９】
0004739488.tif 000010
【図１０】
0004739488.tif 000011